(57)【要約】　　　（修正有）【課題】表面に接着剤が堆積するのを減少させるエーロゾル組成物の提供。【解決手段】　エーロゾル組成物は、ゆっくりと蒸発する溶媒、例えば、トルエン、メチルイソブチルケトン、ミネラルスプリット、フルオロカーボン推進剤、および石油系油またはシリコーン油から選ばれた基材からなる。溶媒は、通常、エーロゾル組成物の約６０重量％以下の量で存在し、基材は、通常、エーロゾル組成物の約５重量％ないし約２５重量％の量で存在し、推進剤は、通常、エーロゾル組成物の約２５重量％ないし約６０重量％の量で存在する。【選択図】なし【特許請求の範囲】
【請求項１】
　接着剤が表面に堆積するのを減少させるエーロゾル組成物であって、蒸発速度が約２以下の溶媒、推進剤、および石油系油またはシリコーン油から選ばれた基材からなるエーロゾル組成物。
【請求項２】
　溶媒がエーロゾル組成物の約６０重量％以下の量で存在する請求項１に記載のエーロゾル組成物。
【請求項３】
　溶媒がエーロゾル組成物の約２５重量％ないし約５０重量％の量で存在する請求項１に記載のエーロゾル組成物。
【請求項４】
　溶媒が、トルエン、キシレン、メチルイソブチルケトン、ミネラルスピリット、ナフサ、シクロパラフィン、合成イソパラフィン系炭化水素、パラクロロベンゾフルオリド、またはそれらの混合物から選ばれる請求項１に記載のエーロゾル組成物。
【請求項５】
　基材がエーロゾル組成物の約５重量％ないし約２５重量％の量で存在する請求項１に記載のエーロゾル組成物。
【請求項６】
　基材がエーロゾル組成物の約５重量％ないし約１５重量％の量で存在する請求項１に記載のエーロゾル組成物。
【請求項７】
　基材が、パラフィン系油、ナフテン系油、芳香族含有量が１１〜３８粘土ゲル重量％でアニリン曇り点が約１８５°Ｆ（８５℃）ないし約２２１°Ｆ（１０５℃）の油、またはそれらの混合物から選ばれた石油系油である請求項１に記載のエーロゾル組成物。
【請求項８】
　基材が、環状、分岐、または線状シロキサンから選ばれたシリコーン油である請求項１に記載のエーロゾル組成物。
【請求項９】
　シロキサンがメチル化されたシロキサンである請求項８に記載のエーロゾル組成物。
【請求項１０】
　推進剤がエーロゾル組成物の約２５重量％ないし約６０重量％の量で存在する請求項１に記載のエーロゾル組成物。
【請求項１１】
　推進剤がエーロゾル組成物の約４０重量％ないし約６０重量％の量で存在する請求項１に記載のエーロゾル組成物。
【請求項１２】
　推進剤がフルオロカーボン推進剤である請求項１に記載のエーロゾル組成物。
【請求項１３】
　フルオロカーボン推進剤が揮発性有機物含量規制免除品である請求項１２に記載のエーロゾル組成物。
【請求項１４】
　エーロゾル組成物の約６０重量％以下の量の溶媒、エーロゾル組成物の約５重量％ないし約２５重量％の量の基材、およびエーロゾル組成物の約２５重量％ないし約６０重量％の量の推進剤からなる請求項１に記載のエーロゾル組成物。
【請求項１５】
　エーロゾル組成物の約２５重量％ないし約５０重量％の量の溶媒、エーロゾル組成物の約５重量％ないし約１５重量％の量の基材、およびエーロゾル組成物の約４０重量％ないし約６０重量％の量の推進剤からなる請求項１に記載のエーロゾル組成物。
【請求項１６】
　エーロゾル組成物の約６０重量％以下の蒸着速度が約２以下の溶媒、エーロゾル組成物の約２５重量％ないし約６０重量％の推進剤、およびエーロゾル組成物の約５重量％ないし約２５重量％の石油系油またはシリコーン油から選ばれた基材からなるエーロゾル組成物。
【請求項１７】
　溶媒がエーロゾル組成物の約２５重量％ないし約５０重量％の量で存在する請求項１６に記載のエーロゾル組成物。
【請求項１８】
　溶媒が、トルエン、キシレン、メチルイソブチルケトン、ミネラルスピリット、ナフサ、シクロパラフィンまたはそれらの混合物から選ばれる請求項１６に記載のエーロゾル組成物。
【請求項１９】
　基材がエーロゾル組成物の約５重量％ないし約１５重量％の量で存在する請求項１６に記載のエーロゾル組成物。
【請求項２０】
　基材が、パラフィン系油、ナフテン系油、芳香族含有量が１１〜３８粘土ゲル重量％でアニリン曇り点が約１８５°Ｆ（８５℃）ないし２２１°Ｆ（１０５℃）の油、またはそれらの混合物から選ばれた石油系油である請求項１６に記載のエーロゾル組成物。
【請求項２１】
　基材が、環状、分岐、または線状シロキサンから選ばれたシリコーン油である請求項１６に記載のエーロゾル組成物。
【請求項２２】
　シロキサンがメチル化されたシロキサンである請求項２１に記載のエーロゾル組成物。
【請求項２３】
　推進剤がエーロゾル組成物の約４０重量％ないし約６０重量％の量で存在する請求項１６に記載のエーロゾル組成物。
【請求項２４】
　推進剤がフルオロカーボン推進剤である請求項１６に記載のエーロゾル組成物。
【請求項２５】
　フルオロカーボン推進剤が揮発性有機物含量規制免除品である請求項２４に記載のエーロゾル組成物。
【請求項２６】
　エーロゾル組成物の約２５重量％ないし約５０重量％の量の溶媒、エーロゾル組成物の約５重量％ないし約１５重量％の量の基材、およびエーロゾル組成物の約４０重量％ないし約６０重量％の量の推進剤からなる請求項１６に記載のエーロゾル組成物。
【発明の詳細な説明】
【技術分野】
【０００１】
　この発明は、接着剤残渣（residue）が表面に堆積（build up）するのを減少させるエーロゾル組成物に関する。そのエーロゾル組成物は、表面を被覆し保護する石油系油またはシリコーン油から選ばれた基材（base material）、表面と接着剤の間の保護バリヤーの役割をするゆっくりと蒸発する溶媒、および推進剤（propellant）を含む。
【背景技術】
【０００２】
　接着剤は、産業用途および消費者用途に普通に使用されている。接着剤を塗布する塗布装置（application systems）は、接着剤噴霧銃（spray gun）のような分注器（dispensers）を含む。接着剤は、噴霧銃または塗布用具内の一区画に収容され、開口部（aperture）に運ばれ、そこから所望の表面上に放出される。
【０００３】
　大抵の接着剤は合成重合体から構成され、粘着特性を低下させる汚染物に耐性のある粘着性の膜を生成するように設計される。設計によって、接着剤膜は、基体（substrate）を柔らかくしたり、基体から剥がれたりしてはならない。接着剤において望ましいのと同じ特性が塗布用具から接着剤を運ぶ際に問題になる。接着剤残渣は分注器の表面に堆積し、その結果、目詰りを引き起こし得る。そのとき、分注器の使用者は接着剤残渣を除去しなければならず、それには時間がかかり、接着剤塗布工程を止めることになる。
【０００４】
　それ故に、分注器の表面に接着剤が堆積するのを減少させるエーロゾルが必要である。また、接着剤が他の表面に同様に堆積するのを減少させるエーロゾル組成物も必要である。
【発明の開示】
【発明が解決しようとする課題】
【０００５】
　本発明は、蒸着速度が約２以下の溶媒、推進剤、および石油系油またはシリコーン油から選ばれた基材を含むエーロゾル組成物を提供することによりこの必要性にこたえる。ここで使用するときは、用語「蒸着速度」とは、酢酸ｎ−ブチルの蒸発速度に対する所与の溶媒の蒸発速度の比である。
【０００６】
　溶媒は、通常、エーロゾル組成物の約６０重量％以下、典型的にはエーロゾル組成物の約２５重量％ないし約５０重量％の量で存在する。好ましい溶媒としては、トルエン、キシレン、メチルイソブチルケトン、ミネラルスピリット、ナフサ、シクロパラフィン、合成イソパラフィン系炭化水素、パラクロロベンゾトリフルオリド（parachlorobenzotrifluoride）、またはそれらの混合物が挙げられるが、これらに限定されない。
【０００７】
　基材は、通常、エーロゾル組成物の約５重量％ないし約２５重量％の量で存在し、典型的にはエーロゾル組成物の約５重量％ないし約１５重量％の量で存在する。好ましい石油系油（petroleum based oils）としては、パラフィン系油、ナフテン系油、芳香族含有量が１１〜３８粘土ゲル重量％（clay-gel weight percent）でアニリン曇り点（aniline cloud point）が約１８５°Ｆ（８５℃）ないし２２１°Ｆ（１０５℃）の油、またはそれらの混合物が挙げられるが、これらに限定されない。好ましいシリコーン油（silicone fluids）としては、環状、分岐、または線状シロキサンが挙げられ、完全にメチル化されたシロキサンのようなメチル化されたシロキサンを含むが、これらに限定されない。
【０００８】
　推進剤は、通常、エーロゾル組成物の約２５重量％ないし約６０重量％の量で存在し、典型的にはエーロゾル組成物の約４０重量％ないし約６０重量％の量で存在する。好ましい推進剤には、フルオロカーボン推進薬、特に揮発性有機物含量ＶＯＣ規制免除品（exempt status）であるフルオロカーボン推進剤が含まれるが、それに限定されない。
【課題を解決するための手段】
【０００９】
　本発明は次の構成からなる。
　（１）接着剤が表面に堆積するのを減少させるエーロゾル組成物であって、蒸発速度が約２以下の溶媒、推進剤、および石油系油またはシリコーン油から選ばれた基材からなるエーロゾル組成物。
【００１０】
　（２）溶媒がエーロゾル組成物の約６０重量％以下の量で存在する上記（１）に記載のエーロゾル組成物。
【００１１】
　（３）溶媒がエーロゾル組成物の約２５重量％ないし約５０重量％の量で存在する上記（１）に記載のエーロゾル組成物。
【００１２】
　（４）溶媒が、トルエン、キシレン、メチルイソブチルケトン、ミネラルスピリット、ナフサ、シクロパラフィン、合成イソパラフィン系炭化水素、パラクロロベンゾフルオリド、またはそれらの混合物から選ばれる上記（１）に記載のエーロゾル組成物。
【００１３】
　（５）基材がエーロゾル組成物の約５重量％ないし約２５重量％の量で存在する上記（１）に記載のエーロゾル組成物。
【００１４】
　（６）基材がエーロゾル組成物の約５重量％ないし約１５重量％の量で存在する上記（１）に記載のエーロゾル組成物。
【００１５】
　（７）基材が、パラフィン系油、ナフテン系油、芳香族含有量が１１〜３８粘土ゲル重量％でアニリン曇り点が約１８５°Ｆ（８５℃）ないし約２２１°Ｆ（１０５℃）の油、またはそれらの混合物から選ばれた石油系油である上記（１）に記載のエーロゾル組成物。
【００１６】
　（８）基材が、環状、分岐、または線状シロキサンから選ばれたシリコーン油である上記（１）に記載のエーロゾル組成物。
【００１７】
　（９）シロキサンがメチル化されたシロキサンである上記（８）に記載のエーロゾル組成物。
【００１８】
　（１０）推進剤がエーロゾル組成物の約２５重量％ないし約６０重量％の量で存在する上記（１）に記載のエーロゾル組成物。
【００１９】
　（１１）推進剤がエーロゾル組成物の約４０重量％ないし約６０重量％の量で存在する上記（１）に記載のエーロゾル組成物。
【００２０】
　（１２）推進剤がフルオロカーボン推進剤である上記（１）に記載のエーロゾル組成物。
【００２１】
　（１３）フルオロカーボン推進剤が揮発性有機物含量規制免除品である上記（１２）に記載のエーロゾル組成物。
【００２２】
　（１４）エーロゾル組成物の約６０重量％以下の量の溶媒、エーロゾル組成物の約５重量％ないし約２５重量％の量の基材、およびエーロゾル組成物の約２５重量％ないし約６０重量％の量の推進剤からなる上記（１）に記載のエーロゾル組成物。
【００２３】
　（１５）エーロゾル組成物の約２５重量％ないし約５０重量％の量の溶媒、エーロゾル組成物の約５重量％ないし約１５重量％の量の基材、およびエーロゾル組成物の約４０重量％ないし約６０重量％の量の推進剤からなる上記（１）に記載のエーロゾル組成物。
【００２４】
　（１６）エーロゾル組成物の約６０重量％以下の蒸着速度が約２以下の溶媒、エーロゾル組成物の約２５重量％ないし約６０重量％の推進剤、およびエーロゾル組成物の約５重量％ないし約２５重量％の石油系油またはシリコーン油から選ばれた基材からなるエーロゾル組成物。
【００２５】
　（１７）溶媒がエーロゾル組成物の約２５重量％ないし約５０重量％の量で存在する上記（１６）に記載のエーロゾル組成物。
【００２６】
　（１８）溶媒が、トルエン、キシレン、メチルイソブチルケトン、ミネラルスピリット、ナフサ、シクロパラフィンまたはそれらの混合物から選ばれる上記（１６）に記載のエーロゾル組成物。
【００２７】
　（１９）基材がエーロゾル組成物の約５重量％ないし約１５重量％の量で存在する上記（１６）に記載のエーロゾル組成物。
【００２８】
　（２０）基材が、パラフィン系油、ナフテン系油、芳香族含有量が１１〜３８粘土ゲル重量％でアニリン曇り点が約１８５°Ｆ（８５℃）ないし２２１°Ｆ（１０５℃）の油、またはそれらの混合物から選ばれた石油系油である上記（１６）に記載のエーロゾル組成物。
【００２９】
　（２１）基材が、環状、分岐、または線状シロキサンから選ばれたシリコーン油である上記（１６）に記載のエーロゾル組成物。
【００３０】
　（２２）シロキサンがメチル化されたシロキサンである上記（２１）に記載のエーロゾル組成物。
【００３１】
　（２３）推進剤がエーロゾル組成物の約４０重量％ないし約６０重量％の量で存在する上記（１６）に記載のエーロゾル組成物。
【００３２】
　（２４）推進剤がフルオロカーボン推進剤である上記（１６）に記載のエーロゾル組成物。
【００３３】
　（２５）フルオロカーボン推進剤が揮発性有機物含量規制免除品である上記（２４）に記載のエーロゾル組成物。
【００３４】
　（２６）エーロゾル組成物の約２５重量％ないし約５０重量％の量の溶媒、エーロゾル組成物の約５重量％ないし約１５重量％の量の基材、およびエーロゾル組成物の約４０重量％ないし約６０重量％の量の推進剤からなる上記（１６）に記載のエーロゾル組成物。
【発明を実施するための最良の形態】
【００３５】
　本発明のエーロゾル組成物は、蒸発速度が約２以下の溶媒、推進剤、および石油系油またはシリコーン油から選ばれた基材からなる。
【００３６】
　溶媒は、約２以下の蒸発速度を持っている。好ましい溶媒としては、トルエン、キシレン、メチルイソブチルケトン、ミネラルスピリット、ナフサ、シクロパラフィンまたはそれらの混合物が挙げられるが、これらに限定されない。典型的な溶媒として、ＣＹＰＡＲ（登録商標）７およびＣＹＰＡＲ（登録商標）９のようなシェルケミカル社から入手可能なシクロパラフィンが挙げられるが、それは危険な大気汚染物質（ＨＡＰ）ではない。溶媒は、一般に、エーロゾル組成物の約６０重量％以下の量で存在し、典型的にはエーロゾル組成物の約２５重量％ないし約５０重量％の範囲で存在する。
【００３７】
　好ましい石油系油としては、パラフィン系およびナフテン系油、芳香族含有量が１１〜３８粘土ゲル重量％でアニリン曇り点が１８５〜２２１°Ｆ（８５〜１０５℃）の油、およびそれらの混合物が挙げられるが、これらに限定されない。限定するものではないが、シェルケミカル社から入手可能なシェルフレックス（Ｓｈｅｌｌｆｌｅｘ）（登録商標）３１１、３７１、３２７１、３３１１および３３７１、ならびにエクソンモービル社から入手可能なフレックスコン（Ｆｌｅｘｃｏｎ）（登録商標）６５０、６６０、６８０および７６６などのナフテン系油を使用してもよい。限定するものではないが、シェルケミカル社およびエクソンモービル社からそれぞれ入手可能なシェルフレックス（Ｓｈｅｌｌｆｌｅｘ）（登録商標）２２１０および２３１０ならびにフレックスコン（Ｆｌｅｘｏｎ）（登録商標）８４５などのパラフィン系油も使用できる。好ましいシリコーン油としては、環状シロキサン、分岐シロキサンまたは線状シロキサン、さらに完全にメチル化されたシロキサンのようなメチル化されたシロキサンを挙げることができるが、これらに限定されない。完全にメチル化されたシロキサンはＶＯＣ規制免除品である。限定するものではないが、ＧＥシリコーン社から入手可能なＳＦ−９６（登録商標）およびＶｉｓｃａｓｉｌ（登録商標）シリーズなどのシリコーン油を使用してもよい。基材は、一般に、エーロゾル組成物の約５重量％ないし約２５％、典型的には約５重量％ないし約１５重量％の量で存在する。
【００３８】
　エーロゾル組成物は推進剤も含む。好ましい推進剤としては、ＶＯＣ規制免除品であるフルオロカーボン推進剤が挙げられるが、それに限定されない。好ましい推進剤の具体例としては、イー・アイ・デュポン・ドゥ・ヌムール・アンド・カンパニーから入手可能なフルオロカーボン１３４および１５２Ａが挙げられる。推進剤は、一般にエーロゾル組成物の約２５重量％ないし約６０重量％、典型的にはエーロゾル組成物の約４０重量％ないし約６０重量％の量で存在する。
【００３９】
　本発明のエーロゾル組成物は、接着剤噴霧銃から分散させる水系接着剤（water-based adhesives）に関して使用するのに特に適している。エーロゾル組成物の推進剤成分は、噴霧銃の先端部（tip）の背後から潜在的接着剤（latent adhesive）を放出するために必要とされる圧力を与えるが、その接着剤はもし乾燥させられれば銃を詰まらせる可能性を持っている。エーロゾル組成物のゆっくりと蒸発する溶媒成分は、疎水性バリヤーの役割をし、それは潜在的接着剤が噴霧器先端部の後部を濡らすのを防ぐことにより先端部をきれいに保つことを助ける。溶媒の遅い蒸発速度は、またエーロゾル組成物が放出された後、後に残された接着剤の乾燥速度を長引かすであろう。溶媒が蒸発すると、エーロゾル組成物の基材は後に残され、先端部表面を被覆する。基材は、さらに接着剤の乾燥速度を遅らせるだけでなく、潜在的接着剤が先端部表面にくっつくのも防ぐ。さらに、エーロゾル組成物は疎水性なので、それは水系接着剤と混和せず、水系接着剤と凝固しないであろう。このことは、水系接着剤の多くが低濃度で様々な化学薬品に関し限られた安定性しか持っていないので、重要であり得る。
【００４０】
　図１および２は、本発明のエーロゾル組成物を使用することができる噴霧銃の一例を示す。噴霧器２００は、本願と同時に出願された同時係属出願シリアル番号　　　（ＩＴＷ０００３ＰＡ）に、より十分に開示されており、その内容は引用によってここに組み入れられる。噴霧器２００は、それを通して接着剤４００およびエーロゾル組成物５００を噴霧または分配（dispensing）するための開口部４１５を備えた噴霧器先端部４１０を含む。噴霧器２００はさらに接着剤室４２０を含む。接着剤室４２０は接着剤注入口４２５から接着剤４００を受け取る。接着剤注入口４２５は接着剤容器に連結されるであろう。接着剤室出口４３０は、スライダー４３５およびシャフト４４０によって選択的に開閉される。スライダー４３５はニードル４３７を含む。シャフト４４０はスライダー４３５に取り付けられており、スライダー４３５は接着剤室４２０内で往復運動する。シャフト４４０が図１に示される前方位置にあるときは、ニードル４３７は孔４３９の中に挿入されており、スライダー４３５は座部４４５に着座し、接着剤室出口４３０を閉鎖している。接着剤４００は流れを遮られ、噴霧器先端部４１０から分配されない。スライダー４３５の往復運動が接着剤室出口４３０を開けるときは、スライダー４３５は座部４４５から引き出され、ニードル４３７は孔４３９から引き出される。接着剤４００はスライダー４３５およびニードル４３９のまわりを流れて、噴霧器先端部４１０から分配される。
【００４１】
　エーロゾル組成物５００はエーロゾル組成物室出口４５０を通して導入される。エーロゾル組成物室出口４５０は、ニードル弁４５５によって選択的に開閉される。図２に示されるように、ニードル弁４５５が閉まっているときは、エーロゾル組成物５００はエーロゾル組成物室出口４５０を流れることができない。ニードル弁４５５をエーロゾル組成物の（図示されていない）エアゾール缶の頂部の弁の中に挿入することによって開いたときは、エーロゾル組成物５００はニードル弁４５５、通路４６０を通って流れ、環状通路４６３の中に流入する。エーロゾル組成物５００は、環状通路４６３の横から入り、環状通路４６３の頂部から逆止弁通路４６５に出ていく。それから、逆止弁４６７、溝４６９、孔４３９を通って流れ、噴霧器先端部４１０を通って外へ出て行く。
【００４２】
　接着剤４００は溝４６９を満たす。接着剤４００が他の通路または室の中に押し込まれるのを防ぐために、逆止弁４６７が逆止弁通路４６５に配置されている。噴霧器先端部２１０に隣接している逆止弁４６７の存在は、接着剤４００を置き換えるのに必要なエーロゾル組成物の量を最小限にする。
【００４３】
　設計は、エーロゾル組成物５００が銃の側面に沿って注入されることを可能にする。流体先端（fluid tip）の後ろの潜在的接着剤を排泄するのを助ける逆止弁をニードルの上に配置することができるように、流れ方向が変更される。
【００４４】
　設計は、また噴霧器の容易な組立を考慮に入れる。環状通路４６３を含めることによって、通路４６０およびチェック弁通路４６５は、組立中に整列（line up）する必要はない。図１２および１３に示されるように、通路４６０は注入口胴体（inlet body）４２１の中にあり、一方、逆止弁通路４６５は逆止弁胴体（check valve body）４２３の中にある。環状通路４６３がないと、組立て品を締めすぎたり、締め付けが不十分であるだけで、通路４６０および逆止弁通路４６５の心のずれ（misalignment）を引き起こし、エーロゾル組成物の流れを妨げたり、制限したりする。もし望むならば、注入口胴体４２１と逆止弁胴体４２３の間にガスケット４２７があってもよい。ガスケット４２７は、接着剤４００の流れを可能にするための中心穴および環状通路４６３を通ってエーロゾル組成物５００の流れを可能にするための一連のより小さな穴を円周に沿って有している。ガスケット４２７は、接着剤４００およびエーロゾル組成物５００がそれらの指定の経路から外へ流れるのを防ぐ。
【００４５】
　引き金４７０は、噴霧器２００の胴体４８０上の転心４７５を中心に回転するように支えられる（journaled）。引き金４７０は、その中央上方位置に、弁駆動軸４９０を駆動する突起（boss）４８５を含んでいる。弁駆動軸４９０は胴体４８０内の穴（aperture）４９５内に受けられ、（使用者による指圧のような）他の力がない状態では、図示された位置（その位置では接着剤４００はスライダー４３５によって流れを遮られている）に弁駆動軸４９０を動かす穴４９５内のばね５００によってバイアスをかけられている。シャフト４４０が弁駆動軸４９０と協力して移動するように、弁駆動軸４９０はシャフト４４０に連結されている。
【００４６】
　引き金４７０が押し下げられたとき、シャフト４４０は、座部４４５からスライダー４３５を引き出し、孔４３９からニードル４３７を引き出し、接着剤室出口４３０を開く。接着剤４００は、接着剤室４２０を通り、スライダー４３５およびニードル４３７のまわりを流れ、噴霧器先端部４１０を通って外に流れ出る。引き金が解放されるとき、スライダー４３５は前進して座部４４５に着座し、ニードル４３７は孔４３９に入り、接着剤室出口４３０を閉じる。
【００４７】
　接着剤室出口４３０を閉じた状態で、（図示されていない）エーロゾル組成物の容器の弁はニードル弁４５５と接触する。ニードル弁４５５が開き、エーロゾル組成物５００がニードル弁４５５を通って、室４６０の中に流れ、環状通路４６３、逆止弁通路４６５、逆止弁４６７、溝４６９を通って、噴霧器先端部４１０を通って外に流れるのを可能にする。エーロゾル組成物のようなエーロゾル組成物５００は、それが接触するものすべてをきれいにしかつ濡らす。エーロゾル組成物５００は圧力をかけることができ、それはニードル弁４５５がエーロゾル組成物容器から離れるまで逆止弁４７０を開きそして開いたままであることを可能にする。
【００４８】
　エーロゾル組成物はこの噴霧銃の説明のとおりの使用に限定されない。いかなる適当な噴霧銃も使用することができる。本発明のエーロゾル組成物を使用することができる噴霧銃の他の具体例としては、本願と同時に出願された同時係属出願シリアル番号　　　（ＩＴＷ０００３ＰＡ）に開示されたものが挙げられ、それは引用によってここに組み入れられる。エーロゾル組成物は上述したような噴霧銃と共に使用される必要はない。むしろ、接着剤を塗布する前に表面を覆うために、表面の一部にエーロゾル分注器からエーロゾル組成物を塗布することができる。エーロゾル組成物の存在は、覆った領域の表面に接着剤が付着するのを防ぐのを助けるであろう。
【００４９】
　次の実施例は単なる例証であって、発明を限定することを意図しない。
【実施例１】
【００５０】
　次の比率を持つエーロゾル組成物を調製した。
【００５１】
【表１】
2004083910.tif 000002
【実施例２】
【００５２】
　次の成分を持つエーロゾル組成物を調製することができる。
【００５３】
【表２】
2004083910.tif 000003
【００５４】
　エーロゾル組成物Ａ１およびＡ２は噴霧銃の先端部を不定期間きれいにすることが示された。これらの結果は、接着剤を分配した後、銃の流体通路（すなわち室１６および先端部１２）の中にエーロゾル組成物を流出することによって達成された。試験は、エーロゾル組成物が先端部の後ろの潜在的接着剤をすべて排出しただけでなく、接着剤が乾燥し先端部上に堆積して目詰まりにつながるのを防いだことも示した。
【００５５】
　接着剤を流出した後に噴霧銃をエーロゾル組成物で処理しなかったときは、銃の先端部が５分ほどで詰まるのが観察された。
【００５６】
　本発明を説明する目的で、ある代表的な実施態様および詳細を示したが、添付された特許請求の範囲に定義された本発明の範囲を外れずに、ここに開示された組成物および方法を種々変更してもよいことは当業者にとって明らかであろう。
【図面の簡単な説明】
【００５７】
【図１】本発明の噴霧銃の一実施態様の断面側面図であり、引き金が引かれていない休止状態を示す。
【図２】図１の弁組立品（valve assembly）のＡ−Ａ線断面の平面図である。
【図１】
2004083910.tif 000004
【図２】
2004083910.tif 000005